(57)【要約】  本発明は、TDDシステムにおける情報伝送方法、情報決定方法、および装置、ならびにシステムを実現する。この方法では、第1の情報は、無線フレーム内の複数のプリセットされたサブフレーム上にマッピングされ、複数のプリセットされたサブフレームは、少なくともサブフレーム0およびサブフレーム5を含み、第1の情報は、システム情報またはシステム情報のスケジューリング情報であり、次いで、第1の物理チャネルが、ユーザ機器UEに送信され、第1の物理チャネルは、第1の情報を運び、これにより、UEは、複数のプリセットされたサブフレームにおいて第1の物理チャネルを検出し、第1の情報を決定し、それによって、UEの検出複雑度および電力消費量を低減することができる。
2016531509.tif 000002
【特許請求の範囲】
【請求項１】
TDDシステムにおける情報伝送方法であって、
第1の情報を無線フレーム内の複数のプリセットされたサブフレーム上にマッピングするステップであって、前記複数のプリセットされたサブフレームは、少なくともサブフレーム0およびサブフレーム5を含み、前記第1の情報は、システム情報または前記システム情報のスケジューリング情報である、ステップと、
第1の物理チャネルをユーザ機器UEに送信するステップであって、前記第1の物理チャネルは前記第1の情報を運ぶ、ステップとを含む情報伝送方法。
【請求項２】
前記複数のプリセットされたサブフレームは、サブフレーム1およびサブフレーム6のいずれかをさらに含む請求項1に記載の方法。
【請求項３】
前記複数のプリセットされたサブフレームは、サブフレーム1およびサブフレーム6をさらに含む請求項1に記載の方法。
【請求項４】
前記複数のプリセットされたサブフレームは、サブフレーム3、サブフレーム4、サブフレーム7、サブフレーム8、およびサブフレーム9のうちの少なくとも1つをさらに含む請求項1から3のいずれか一項に記載の方法。
【請求項５】
前記複数のサブフレームは、前記サブフレーム3、前記サブフレーム4、前記サブフレーム7、前記サブフレーム8、および前記サブフレーム9をさらに含む請求項1から4のいずれか一項に記載の方法。
【請求項６】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項1に記載の方法。
【請求項７】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項6に記載の方法。
【請求項８】
前記スペシャルサブフレームの構成は、事前に規定されているスペシャルサブフレーム構成である請求項1から7のいずれか一項に記載の方法。
【請求項９】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項8に記載の方法。
【請求項１０】
前記スペシャルサブフレームは、サブフレーム1および/またはサブフレーム6である請求項8または9に記載の方法。
【請求項１１】
第1の物理チャネルをユーザ機器UEに送信する前記ステップの後に、
第2の物理チャネルを前記UEに送信するステップであって、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含む請求項1から10のいずれか一項に記載の方法。
【請求項１２】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項1から11のいずれか一項に記載の方法。
【請求項１３】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項1から11のいずれか一項に記載の方法。
【請求項１４】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項1から13のいずれか一項に記載の方法。
【請求項１５】
TDDシステムにおける情報決定方法であって、
第1の物理チャネルを無線フレーム内の複数のプリセットされたサブフレームで受信するステップであって、前記複数のプリセットされたサブフレームは、少なくともサブフレーム0およびサブフレーム5を含み、前記第1の物理チャネルは、第1の情報を運び、前記第1の情報は、システム情報または前記システム情報のスケジューリング情報である、ステップと、
前記受信された第1の物理チャネルに従って前記第1の情報を決定するステップとを含む情報決定方法。
【請求項１６】
前記複数のプリセットされたサブフレームは、サブフレーム1およびサブフレーム6のいずれかをさらに含む請求項15に記載の方法。
【請求項１７】
前記複数のプリセットされたサブフレームは、サブフレーム1およびサブフレーム6をさらに含む請求項15に記載の方法。
【請求項１８】
前記複数のプリセットされたサブフレームは、サブフレーム3、サブフレーム4、サブフレーム7、サブフレーム8、およびサブフレーム9のうちの少なくとも1つをさらに含む請求項15から17のいずれか一項に記載の方法。
【請求項１９】
前記複数のプリセットされたサブフレームは、前記サブフレーム3、前記サブフレーム4、前記サブフレーム7、前記サブフレーム8、および前記サブフレーム9をさらに含む請求項15から18のいずれか一項に記載の方法。
【請求項２０】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項15に記載の方法。
【請求項２１】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項20に記載の方法。
【請求項２２】
前記スペシャルサブフレームの構成は、事前に規定されているスペシャルサブフレーム構成である請求項15から21のいずれか一項に記載の方法。
【請求項２３】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項22に記載の方法。
【請求項２４】
前記スペシャルサブフレームは、サブフレーム1および/またはサブフレーム6である請求項22または23に記載の方法。
【請求項２５】
第1の物理チャネルを無線フレーム内の複数のプリセットされたサブフレームで受信する前記ステップの後に、
第2の物理チャネルを受信するステップであって、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含む請求項15から24のいずれか一項に記載の方法。
【請求項２６】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項15から25のいずれか一項に記載の方法。
【請求項２７】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項15から25のいずれか一項に記載の方法。
【請求項２８】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項15から27のいずれか一項に記載の方法。
【請求項２９】
TDDシステムにおける情報伝送装置であって、
第1の情報を無線フレーム内の複数のプリセットされたサブフレーム上にマッピングするように構成されたマッピングモジュールであって、前記複数のプリセットされたサブフレームは、少なくともサブフレーム0およびサブフレーム5を含み、前記第1の情報は、システム情報または前記システム情報のスケジューリング情報である、マッピングモジュールと、
第1の物理チャネルをユーザ機器UEに送信するように構成された送信モジュールであって、前記第1の物理チャネルは前記第1の情報を運ぶ、送信モジュールとを備える情報伝送装置。
【請求項３０】
前記複数のプリセットされたサブフレームは、サブフレーム1およびサブフレーム6のいずれかをさらに含む請求項29に記載の装置。
【請求項３１】
前記複数のプリセットされたサブフレームは、サブフレーム1およびサブフレーム6をさらに含む請求項29に記載の装置。
【請求項３２】
前記複数のプリセットされたサブフレームは、サブフレーム3、サブフレーム4、サブフレーム7、サブフレーム8、およびサブフレーム9のうちの少なくとも1つをさらに含む請求項29から31のいずれか一項に記載の装置。
【請求項３３】
前記複数のサブフレームは、前記サブフレーム3、前記サブフレーム4、前記サブフレーム7、前記サブフレーム8、および前記サブフレーム9をさらに含む請求項29から32のいずれか一項に記載の装置。
【請求項３４】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項29に記載の装置。
【請求項３５】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項34に記載の装置。
【請求項３６】
前記スペシャルサブフレームの構成は、事前に規定されているスペシャルサブフレーム構成である請求項29から35のいずれか一項に記載の装置。
【請求項３７】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項36に記載の装置。
【請求項３８】
前記スペシャルサブフレームは、サブフレーム1および/またはサブフレーム6である請求項36または37に記載の装置。
【請求項３９】
前記送信モジュールは、第2の物理チャネルを前記UEに送信するようにさらに構成され、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む請求項29から38のいずれか一項に記載の装置。
【請求項４０】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項29から39のいずれか一項に記載の装置。
【請求項４１】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項29から39のいずれか一項に記載の装置。
【請求項４２】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項29から41のいずれか一項に記載の装置。
【請求項４３】
TDDシステムにおける情報決定装置であって、
第1の物理チャネルを無線フレーム内の複数のプリセットされたサブフレームで受信するように構成された受信モジュールであって、前記複数のプリセットされたサブフレームは、少なくともサブフレーム0およびサブフレーム5を含み、前記第1の物理チャネルは、第1の情報を運び、前記第1の情報は、システム情報または前記システム情報のスケジューリング情報である、受信モジュールと、
前記受信された第1の物理チャネルに従って前記第1の情報を決定するように構成された決定モジュールとを備える情報決定装置。
【請求項４４】
前記複数のプリセットされたサブフレームは、サブフレーム1およびサブフレーム6のいずれかをさらに含む請求項43に記載の装置。
【請求項４５】
前記複数のプリセットされたサブフレームは、サブフレーム1およびサブフレーム6をさらに含む請求項43に記載の装置。
【請求項４６】
前記複数のプリセットされたサブフレームは、サブフレーム3、サブフレーム4、サブフレーム7、サブフレーム8、およびサブフレーム9のうちの少なくとも1つをさらに含む請求項43から45のいずれか一項に記載の装置。
【請求項４７】
前記複数のプリセットされたサブフレームは、前記サブフレーム3、前記サブフレーム4、前記サブフレーム7、前記サブフレーム8、および前記サブフレーム9をさらに含む請求項43から46のいずれか一項に記載の装置。
【請求項４８】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項43に記載の装置。
【請求項４９】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項48に記載の装置。
【請求項５０】
前記スペシャルサブフレームの構成は、事前に規定されているスペシャルサブフレーム構成である請求項43から49のいずれか一項に記載の装置。
【請求項５１】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項50に記載の装置。
【請求項５２】
前記スペシャルサブフレームは、サブフレーム1および/またはサブフレーム6である請求項50または51に記載の装置。
【請求項５３】
前記受信モジュールは、第2の物理チャネルを受信するようにさらに構成され、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む請求項43から52のいずれか一項に記載の装置。
【請求項５４】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項43から53のいずれか一項に記載の装置。
【請求項５５】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項43から53のいずれか一項に記載の装置。
【請求項５６】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項43から55のいずれか一項に記載の装置。
【請求項５７】
第1の情報を無線フレーム内の複数のプリセットされたサブフレーム上にマッピングするように構成されたプロセッサであって、前記複数のプリセットされたサブフレームは、少なくともサブフレーム0およびサブフレーム5を含み、前記第1の情報は、システム情報または前記システム情報のスケジューリング情報である、プロセッサと、
第1の物理チャネルをユーザ機器UEに送信するように構成された送信機であって、前記第1の物理チャネルは前記第1の情報を運ぶ、送信機とを備える基地局。
【請求項５８】
前記複数のプリセットされたサブフレームは、サブフレーム1およびサブフレーム6のいずれかをさらに含む請求項57に記載の基地局。
【請求項５９】
前記複数のプリセットされたサブフレームは、サブフレーム1およびサブフレーム6をさらに含む請求項57に記載の基地局。
【請求項６０】
前記複数のプリセットされたサブフレームは、サブフレーム3、サブフレーム4、サブフレーム7、サブフレーム8、およびサブフレーム9のうちの少なくとも1つをさらに含む請求項57から59のいずれか一項に記載の基地局。
【請求項６１】
前記複数のサブフレームは、前記サブフレーム3、前記サブフレーム4、前記サブフレーム7、前記サブフレーム8、および前記サブフレーム9をさらに含む請求項57から60のいずれか一項に記載の基地局。
【請求項６２】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項57に記載の基地局。
【請求項６３】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項62に記載の基地局。
【請求項６４】
前記スペシャルサブフレームの構成は、事前に規定されているスペシャルサブフレーム構成である請求項57から63のいずれか一項に記載の基地局。
【請求項６５】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項64に記載の基地局。
【請求項６６】
前記スペシャルサブフレームは、サブフレーム1および/またはサブフレーム6である請求項64または65に記載の基地局。
【請求項６７】
前記送信機は、第2の物理チャネルを前記UEに送信するようにさらに構成され、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む請求項57から66のいずれか一項に記載の基地局。
【請求項６８】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項57から67のいずれか一項に記載の基地局。
【請求項６９】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項57から67のいずれか一項に記載の基地局。
【請求項７０】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記新しいMTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項57から69のいずれか一項に記載の基地局。
【請求項７１】
第1の物理チャネルを無線フレーム内の複数のプリセットされたサブフレームで受信するように構成された受信機であって、前記複数のプリセットされたサブフレームは、少なくともサブフレーム0およびサブフレーム5を含み、前記第1の物理チャネルは、第1の情報を運び、前記第1の情報は、システム情報または前記システム情報のスケジューリング情報である、受信機と、
前記受信された第1の物理チャネルに従って前記第1の情報を決定するように構成されたプロセッサとを備えるユーザ機器。
【請求項７２】
前記複数のプリセットされたサブフレームは、サブフレーム1およびサブフレーム6のいずれかをさらに含む請求項71に記載のユーザ機器。
【請求項７３】
前記複数のプリセットされたサブフレームは、サブフレーム1およびサブフレーム6をさらに含む請求項71に記載のユーザ機器。
【請求項７４】
前記複数のプリセットされたサブフレームは、サブフレーム3、サブフレーム4、サブフレーム7、サブフレーム8、およびサブフレーム9のうちの少なくとも1つをさらに含む請求項71から73のいずれか一項に記載のユーザ機器。
【請求項７５】
前記複数のプリセットされたサブフレームは、前記サブフレーム3、前記サブフレーム4、前記サブフレーム7、前記サブフレーム8、および前記サブフレーム9をさらに含む請求項71から74のいずれか一項に記載のユーザ機器。
【請求項７６】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項71に記載のユーザ機器。
【請求項７７】
前記複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
前記複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む請求項76に記載のユーザ機器。
【請求項７８】
前記スペシャルサブフレームの構成は、事前に規定されているスペシャルサブフレーム構成である請求項71から77のいずれか一項に記載のユーザ機器。
【請求項７９】
ダウンリンクノーマルサイクリックプレフィックスについては、前記スペシャルサブフレームの前記構成は、事前に規定されているスペシャルサブフレーム構成4であり、ダウンリンク拡張サイクリックプレフィックスについては、前記スペシャルサブフレームの前記構成は、事前に規定されているスペシャルサブフレーム構成3である請求項78に記載のユーザ機器。
【請求項８０】
前記スペシャルサブフレームは、サブフレーム1および/またはサブフレーム6である請求項78または79に記載のユーザ機器。
【請求項８１】
前記受信機は、第2の物理チャネルを受信するようにさらに構成され、前記第2の物理チャネルを伝送するための無線フレームのアップリンク-ダウンリンク構成は、前記第1の情報を伝送するための前記無線フレームのアップリンク-ダウンリンク構成と異なり、および/または前記第2の物理チャネルを伝送するための前記無線フレーム内のスペシャルサブフレームのスペシャルサブフレーム構成は、前記第1の情報を伝送するための前記無線フレーム内のスペシャルサブフレームのスペシャルサブフレーム構成と異なり、前記第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む請求項71から80のいずれか一項に記載のユーザ機器。
【請求項８２】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項71から81のいずれか一項に記載のユーザ機器。
【請求項８３】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
前記第1の物理チャネルは、前記システム情報を運ぶ物理ダウンリンク共有チャネルPDSCH、および/または前記システム情報を運ぶ拡張PDSCHである請求項71から81のいずれか一項に記載のユーザ機器。
【請求項８４】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記新しいMTC SIBをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項71から83のいずれか一項に記載のユーザ機器。
【請求項８５】
請求項29から42のいずれか一項に記載のTDDシステムにおける情報伝送装置と、請求項43から56のいずれか一項に記載のTDDシステムにおける情報決定装置とを備える通信システム。
【請求項８６】
請求項57から70のいずれか一項に記載の基地局と、請求項71から84のいずれか一項に記載のユーザ機器とを備える通信システム。
【発明の詳細な説明】
【技術分野】
【０００１】
本発明の実施形態は、通信技術に関するものであり、特に、TDDシステムにおける情報伝送方法、情報決定方法、および装置、ならびにシステムに関するものである。
【背景技術】
【０００２】
ロングタームエボリューション(Long Term Evolution、以下略してLTE)またはロングタームエボリューションアドバンスト(LTE Advanced、以下略してLTE-A)システムにおいて、起動後、ユーザ機器(User Equipment、以下略してUE)は、最初に、同期信号を検出し、次いで、物理報知チャネル(Physical Broadcast Channel、以下略してPBCH)を検出してマスタ情報ブロック(Master Information Block、以下略してMIB)を取得し、次いで、UEは、物理ダウンリンク制御チャネル(Physical Downlink Control Channel、以下略してPDCCH)を検出してシステム情報ブロックタイプ1(System Information Block Type 1、以下略してSIB1)のスケジューリング情報を取得し、次いで、スケジューリング情報に従って物理ダウンリンク共有チャネル(Physical Downlink Shared Channel、以下略してPDSCH)を検出してSIB1を取得する。それに加えて、SIB1を除く1つまたは複数の他のシステム情報ブロック(System Information Block、以下略してSIB)が、システム情報(system information、以下略してSI)メッセージ内にカプセル化される。UEは、PDCCHを検出してSIのスケジューリング情報を取得し、次いで、スケジューリング情報に従ってPDSCHを検出してSIまたは別のSIBを取得する。
【０００３】
既存のLTEまたはLTE-Aシステムにおいて、MIBを運ぶPBCH、SIB1をスケジューリングするためのPDCCH、SIB1を運ぶPDSCH、SIをスケジューリングするためのPDCCH、またはSIを運ぶPDSCHは、1つのサブフレームで伝送される。
【０００４】
通信可能範囲拡張を考えた場合、通信可能範囲を拡大するために、MIBを運ぶPBCH、SIB1をスケジューリングするためのPDCCH、SIB1を運ぶPDSCH、SIをスケジューリングするためのPDCCH、またはSIを運ぶPDSCHに対して伝送信頼性が高められることが必要であり、こうして、拡張PBCH、拡張PDCCH(SIB1またはSIをスケジューリングするため)、および拡張PDSCH(SIB1またはSIを運ぶ)が、複数のサブフレームで伝送される。
【０００５】
TDDシステムについては、UEは、運ばれた情報を取得するために、拡張PBCH、拡張PDCCH(SIB1またはSIをスケジューリングするため)、および拡張PDSCH(SIB1またはSIを運ぶ)上でブラインド検出を実行する必要があるが、しかしながら、UEによるブラインド検出は、UEの検出複雑度および電力消費量を増大させる。
【発明の概要】
【課題を解決するための手段】
【０００６】
本発明の実施形態は、TDDシステムにおける情報伝送方法、情報決定方法、および装置、ならびにシステムを実現し、それにより、UEの検出複雑度および電力消費量を低減させる。
【０００７】
第1の態様によれば、本発明の一実施形態は、TDDシステムにおける情報伝送方法を提供し、この方法は
第1の情報を無線フレーム内の複数のプリセットされたサブフレーム上にマッピングするステップであって、複数のプリセットされたサブフレームは、少なくともサブフレーム0およびサブフレーム5を含み、第1の情報は、システム情報またはシステム情報のスケジューリング情報である、ステップと、
第1の物理チャネルをユーザ機器UEに送信するステップであって、第1の物理チャネルは、第1の情報を運ぶ、ステップとを含む。
【０００８】
第1の可能な実装方式において、複数のプリセットされたサブフレームは、サブフレーム1およびサブフレーム6のいずれかをさらに含む。
【０００９】
第2の可能な実装方式において、複数のプリセットされたサブフレームは、サブフレーム1およびサブフレーム6をさらに含む。
【００１０】
第1の態様から第1の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００１１】
第1の態様または第1の態様の第3の可能な実装方式に関して、第4の可能な実装方式において、複数のサブフレームは、サブフレーム3、サブフレーム4、サブフレーム7、サブフレーム8、およびサブフレーム9をさらに含む。
【００１２】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００１３】
第1の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００１４】
第1の態様から第1の態様の第6の可能な実装方式までのいずれか1つに関して、第7の可能な実装方式において、スペシャルサブフレームの構成は、事前に規定されているスペシャルサブフレーム構成である。
【００１５】
第1の態様の第7の可能な実装方式に関して、第8の可能な実装方式において、ダウンリンクノーマルサイクリックプレフィックス(downlink normal cyclic prefix)については、スペシャルサブフレームの構成は、事前に規定されているスペシャルサブフレーム構成4であり、ダウンリンク拡張サイクリックプレフィックス(downlink extended cyclic prefix)については、スペシャルサブフレームの構成は、事前に規定されているスペシャルサブフレーム構成3である。
【００１６】
第1の態様の第7の可能な実装方式または第1の態様の第8の可能な実装方式に関して、第9の可能な実装方式において、スペシャルサブフレームは、サブフレーム1および/またはサブフレーム6である。
【００１７】
第1の態様から第1の態様の第9の可能な実装方式までのいずれか1つに関して、第10の可能な実装方式において、第1の物理チャネルをユーザ機器UEに送信した後に、この方法は
第2の物理チャネルをUEに送信するステップであって、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含む。
【００１８】
第1の態様から第1の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００１９】
第1の態様から第1の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００２０】
第1の態様から第1の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００２１】
第2の態様によれば、本発明の一実施形態は、TDDシステムにおける情報決定方法を提供し、この方法は
第1の物理チャネルを無線フレーム内の複数のプリセットされたサブフレームで受信するステップであって、複数のプリセットされたサブフレームは、少なくともサブフレーム0およびサブフレーム5を含み、第1の物理チャネルは、第1の情報を運び、第1の情報は、システム情報またはシステム情報のスケジューリング情報である、ステップと、
受信された第1の物理チャネルに従って第1の情報を決定するステップとを含む。
【００２２】
第1の可能な実装方式において、複数のプリセットされたサブフレームは、サブフレーム1およびサブフレーム6のいずれかをさらに含む。
【００２３】
第2の可能な実装方式において、複数のプリセットされたサブフレームは、サブフレーム1およびサブフレーム6をさらに含む。
【００２４】
第2の態様から第2の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００２５】
第2の態様または第2の態様の第3の可能な実装方式に関して、第4の可能な実装方式において、複数のプリセットされたサブフレームは、サブフレーム3、サブフレーム4、サブフレーム7、サブフレーム8、およびサブフレーム9をさらに含む。
【００２６】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００２７】
第2の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００２８】
第2の態様から第2の態様の第6の可能な実装方式までのいずれか1つに関して、第7の可能な実装方式において、スペシャルサブフレームの構成は、事前に規定されているスペシャルサブフレーム構成である。
【００２９】
第2の態様の第7の可能な実装方式に関して、第8の可能な実装方式において、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【００３０】
第2の態様の第7の可能な実装方式または第1の態様の第8の可能な実装方式に関して、第9の可能な実装方式において、スペシャルサブフレームは、サブフレーム1および/またはサブフレーム6である。
【００３１】
第2の態様から第2の態様の第9の可能な実装方式までのいずれか1つに関して、第10の可能な実装方式において、第1の物理チャネルを無線フレーム内の複数のプリセットされたサブフレームで受信するステップの後に、この方法は
第2の物理チャネルを受信するステップであって、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含む。
【００３２】
第2の態様から第2の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００３３】
第2の態様から第2の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００３４】
第2の態様から第2の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００３５】
第3の態様によれば、本発明の一実施形態は、TDDシステムにおける情報伝送装置を実現し、この装置は
第1の情報を無線フレーム内の複数のプリセットされたサブフレーム上にマッピングするように構成されたマッピングモジュールであって、複数のプリセットされたサブフレームは、少なくともサブフレーム0およびサブフレーム5を含み、第1の情報は、システム情報またはシステム情報のスケジューリング情報である、マッピングモジュールと、
第1の物理チャネルをユーザ機器UEに送信するように構成された送信モジュールであって、第1の物理チャネルは、第1の情報を運ぶ、送信モジュールとを備える。
【００３６】
第1の可能な実装方式において、複数のプリセットされたサブフレームは、サブフレーム1およびサブフレーム6のいずれかをさらに含む。
【００３７】
第2の可能な実装方式において、複数のプリセットされたサブフレームは、サブフレーム1およびサブフレーム6をさらに含む。
【００３８】
第3の態様から第3の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００３９】
第3の態様または第3の態様の第3の可能な実装方式に関して、第4の可能な実装方式において、複数のサブフレームは、サブフレーム3、サブフレーム4、サブフレーム7、サブフレーム8、およびサブフレーム9をさらに含む。
【００４０】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００４１】
第3の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００４２】
第3の態様から第3の態様の第6の可能な実装方式までのいずれか1つに関して、第7の可能な実装方式において、スペシャルサブフレームの構成は、事前に規定されているスペシャルサブフレーム構成である。
【００４３】
第3の態様の第7の可能な実装方式に関して、第8の可能な実装方式において、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【００４４】
第3の態様の第7の可能な実装方式または第3の態様の第8の可能な実装方式に関して、第9の可能な実装方式において、スペシャルサブフレームは、サブフレーム1および/またはサブフレーム6である。
【００４５】
第3の態様から第3の態様の第9の可能な実装方式までのいずれか1つに関して、第10の可能な実装方式において、送信モジュールは、第2の物理チャネルをUEに送信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【００４６】
第3の態様から第3の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００４７】
第3の態様から第3の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００４８】
第3の態様から第3の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００４９】
第4の態様によれば、本発明の一実施形態は、TDDシステムにおける情報決定装置を実現し、この装置は
第1の物理チャネルを無線フレーム内の複数のプリセットされたサブフレームで受信するように構成された受信モジュールであって、複数のプリセットされたサブフレームは、少なくともサブフレーム0およびサブフレーム5を含み、第1の物理チャネルは、第1の情報を運び、第1の情報は、システム情報またはシステム情報のスケジューリング情報である、受信モジュールと、
受信された第1の物理チャネルに従って第1の情報を決定するように構成された決定モジュールとを備える。
【００５０】
第1の可能な実装方式において、複数のプリセットされたサブフレームは、サブフレーム1およびサブフレーム6のいずれかをさらに含む。
【００５１】
第2の可能な実装方式において、複数のプリセットされたサブフレームは、サブフレーム1およびサブフレーム6をさらに含む。
【００５２】
第4の態様から第4の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００５３】
第4の態様または第4の態様の第3の可能な実装方式に関して、第4の可能な実装方式において、複数のプリセットされたサブフレームは、サブフレーム3、サブフレーム4、サブフレーム7、サブフレーム8、およびサブフレーム9をさらに含む。
【００５４】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００５５】
第4の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００５６】
第4の態様から第4の態様の第6の可能な実装方式までのいずれか1つに関して、第7の可能な実装方式において、スペシャルサブフレームの構成は、事前に規定されているスペシャルサブフレーム構成である。
【００５７】
第4の態様の第7の可能な実装方式に関して、第8の可能な実装方式において、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【００５８】
第4の態様の第7の可能な実装方式または第4の態様の第8の可能な実装方式に関して、第9の可能な実装方式において、スペシャルサブフレームは、サブフレーム1および/またはサブフレーム6である。
【００５９】
第4の態様から第4の態様の第9の可能な実装方式までのいずれか1つに関して、第10の可能な実装方式において、受信モジュールは、第2の物理チャネルを受信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【００６０】
第4の態様から第4の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００６１】
第4の態様から第4の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００６２】
第4の態様から第4の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００６３】
第5の態様によれば、本発明の一実施形態は、基地局を実現し、この基地局は
第1の情報を無線フレーム内の複数のプリセットされたサブフレーム上にマッピングするように構成されたプロセッサであって、複数のプリセットされたサブフレームは、少なくともサブフレーム0およびサブフレーム5を含み、第1の情報は、システム情報またはシステム情報のスケジューリング情報である、プロセッサと、
第1の物理チャネルをユーザ機器UEに送信するように構成された送信機であって、第1の物理チャネルは、第1の情報を運ぶ、送信機とを備える。
【００６４】
第1の可能な実装方式において、複数のプリセットされたサブフレームは、サブフレーム1およびサブフレーム6のいずれかをさらに含む。
【００６５】
第2の可能な実装方式において、複数のプリセットされたサブフレームは、サブフレーム1およびサブフレーム6をさらに含む。
【００６６】
第5の態様から第5の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００６７】
第5の態様または第5の態様の第3の可能な実装方式に関して、第4の可能な実装方式において、複数のサブフレームは、サブフレーム3、サブフレーム4、サブフレーム7、サブフレーム8、およびサブフレーム9をさらに含む。
【００６８】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００６９】
第5の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００７０】
第5の態様から第5の態様の第6の可能な実装方式までのいずれか1つに関して、第7の可能な実装方式において、スペシャルサブフレームの構成は、事前に規定されているスペシャルサブフレーム構成である。
【００７１】
第5の態様の第7の可能な実装方式に関して、第8の可能な実装方式において、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【００７２】
第5の態様の第7の可能な実装方式または第5の態様の第8の可能な実装方式に関して、第9の可能な実装方式において、スペシャルサブフレームは、サブフレーム1および/またはサブフレーム6である。
【００７３】
第5の態様から第5の態様の第9の可能な実装方式までのいずれか1つに関して、第10の可能な実装方式において、送信機は、第2の物理チャネルをUEに送信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【００７４】
第5の態様から第5の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００７５】
第5の態様から第5の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００７６】
第5の態様から第5の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００７７】
第6の態様によれば、本発明の一実施形態は、ユーザ機器を実現し、このユーザ機器は
第1の物理チャネルを無線フレーム内の複数のプリセットされたサブフレームで受信するように構成された受信機であって、複数のプリセットされたサブフレームは、少なくともサブフレーム0およびサブフレーム5を含み、第1の物理チャネルは、第1の情報を運び、第1の情報は、システム情報またはシステム情報のスケジューリング情報である、受信機と、
受信された第1の物理チャネルに従って第1の情報を決定するように構成されたプロセッサとを備える。
【００７８】
第1の可能な実装方式において、複数のプリセットされたサブフレームは、サブフレーム1およびサブフレーム6のいずれかをさらに含む。
【００７９】
第2の可能な実装方式において、複数のプリセットされたサブフレームは、サブフレーム1およびサブフレーム6をさらに含む。
【００８０】
第6の態様から第6の態様の第2の可能な実装方式までのいずれか1つに関して、第3の可能な実装方式において、複数のプリセットされたサブフレームは、サブフレーム3、サブフレーム4、サブフレーム7、サブフレーム8、およびサブフレーム9のうちの少なくとも1つをさらに含む。
【００８１】
第6の態様または第6の態様の第3の可能な実装方式に関して、第4の可能な実装方式において、複数のプリセットされたサブフレームは、サブフレーム3、サブフレーム4、サブフレーム7、サブフレーム8、およびサブフレーム9をさらに含む。
【００８２】
第5の可能な実装方式において、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【００８３】
第6の態様の第5の可能な実装方式に関して、第6の可能な実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む。
【００８４】
第6の態様から第6の態様の第6の可能な実装方式までのいずれか1つに関して、第7の可能な実装方式において、スペシャルサブフレームの構成は、事前に規定されているスペシャルサブフレーム構成である。
【００８５】
第6の態様の第7の可能な実装方式に関して、第8の可能な実装方式において、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【００８６】
第6の態様の第7の可能な実装方式または第6の態様の第8の可能な実装方式に関して、第9の可能な実装方式において、スペシャルサブフレームは、サブフレーム1および/またはサブフレーム6である。
【００８７】
第6の態様から第6の態様の第9の可能な実装方式までのいずれか1つに関して、第10の可能な実装方式において、受信機は、第2の物理チャネルを受信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【００８８】
第6の態様から第6の態様の第10の可能な実装方式までのいずれか1つに関して、第11の可能な実装方式において、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【００８９】
第6の態様から第3の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【００９０】
第6の態様から第6の態様の第12の可能な実装方式までのいずれか1つに関して、第13の可能な実装方式において、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、スケジューリング情報を運ぶ物理ダウンリンク制御チャネルPDCCH、および/またはスケジューリング情報を運ぶ拡張PDCCHである。
【００９１】
第7の態様によれば、本発明の一実施形態は、通信システムを実現し、この通信システムは第3の態様において説明されているTDDシステムにおける情報伝送装置と、第4の態様において説明されているTDDシステムにおける情報決定装置とを備える。
【００９２】
第8の態様によれば、本発明の一実施形態は、通信システムを実現し、この通信システムは第5の態様において説明されている基地局と、第6の態様において説明されているユーザ機器とを備える。
【００９３】
本発明の実施形態は、TDDシステムにおける情報伝送方法、情報決定方法、および装置、ならびにシステムを実現する。この方法では、第1の情報が、無線フレーム内の複数のプリセットされたサブフレーム上にマッピングされ、複数のプリセットされたサブフレームは、少なくともサブフレーム0およびサブフレーム5を含み、第1の情報は、システム情報またはシステム情報のスケジューリング情報であり、次いで、第1の物理チャネルが、ユーザ機器UEに送信され、第1の物理チャネルは、第1の情報を運び、これにより、UEは、複数のプリセットされたサブフレームにおいて第1の物理チャネルを検出し、第1の情報を決定し、それによって、UEの検出複雑度および電力消費量を低減することができる。
【００９４】
本発明の実施形態または従来技術における技術的解決策をより明確に説明するために、以下において、実施形態または従来技術の説明に必要な添付図面を簡単に紹介する。明らかに、以下の説明の添付図面は、本発明のいくつかの実施形態を示しており、当業者であれば、創造的労力を費やすことなくこれらの添付図面から他の図面を導き出すことができる。
【図面の簡単な説明】
【００９５】
【図１】本発明の一実施形態によるTDDシステムにおける情報伝送方法の流れ図である。
【図２】本発明の別の実施形態によるTDDシステムにおける情報決定方法の流れ図である。
【図３Ａ】本発明の一実施形態による無線フレーム内の複数のプリセットされたサブフレームを示す概略図である。
【図３Ｂ】本発明の別の実施形態による無線フレーム内の複数のプリセットされたサブフレームを示す概略図である。
【図４】本発明の一実施形態によるTDDシステムにおける拡張PBCHのマッピングを示す概略図である。
【図５】本発明の一実施形態によるTDDシステムにおける情報伝送装置の概略構造図である。
【図６】本発明の一実施形態によるTDDシステムにおける情報決定装置の概略構造図である。
【図７】本発明の一実施形態による基地局の概略構造図である。
【図８】本発明の一実施形態によるユーザ機器の概略構造図である。
【発明を実施するための形態】
【００９６】
本発明の実施形態の目的、技術的解決策、および利点をよりわかりやすくするために、以下では、本発明の実施形態の添付図面を参照しつつ本発明の実施形態における技術的解決策を明確かつ完全に説明する。明らかに、説明されている実施形態は、本発明の実施形態の一部であってすべてではない。創造的労力を費やすことなく本発明の実施形態に基づいて当業者が得る他のすべての実施形態は、本発明の保護の範囲内に収まるものとする。
【００９７】
図1は、本発明の一実施形態によるTDDシステムにおける情報伝送方法の流れ図である。図1に示されているように、この実施形態における方法は、以下のステップを含む。
【００９８】
ステップ101:第1の情報を無線フレーム内の複数のプリセットされたサブフレーム上にマッピングし、複数のプリセットされたサブフレームは、少なくともサブフレーム0およびサブフレーム5を含む。
【００９９】
この実施形態において、基地局は、第1の情報を無線フレーム内の複数のプリセットされたサブフレーム上にマッピングするものとしてよく、複数のプリセットされたサブフレームは、少なくともサブフレーム0およびサブフレーム5を含み、第1の情報は、システム情報またはシステム情報のスケジューリング情報であってよい。
【０１００】
たとえば、複数のプリセットされたサブフレームは、サブフレーム0およびサブフレーム5を含み得るか、または、サブフレーム0およびサブフレーム5に加えて、複数のプリセットされたサブフレームは、サブフレーム1およびサブフレーム6のうちの少なくとも1つをさらに含むか、または、サブフレーム0およびサブフレーム5に加えて、複数のプリセットされたサブフレームは、サブフレーム3、サブフレーム4、サブフレーム7、サブフレーム8、およびサブフレーム9のうちの少なくとも1つをさらに含む。
【０１０１】
適宜、複数のプリセットされたサブフレームは、事前に規定されているアップリンク-ダウンリンク構成によって決定された無線フレーム内のすべてのダウンリンクサブフレームであるか、または、サブフレーム0およびサブフレーム5に加えて、複数のプリセットされたサブフレームは、事前に規定されているアップリンク-ダウンリンク構成によって決定された無線フレーム内のすべてのスペシャルサブフレームをさらに含むか、または、サブフレーム0およびサブフレーム5に加えて、複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または、複数のプリセットされたサブフレームは、無線フレーム内のすべてのサブフレームである。
【０１０２】
LTEシステムのリソースは、時間領域内で複数の無線フレームに分割され、1つの無線フレームは、サブフレーム0、サブフレーム1からサブフレーム9の順序で無線フレーム内に配置構成された10個のサブフレームを含むことに留意されたい。各サブフレームの長さは1ミリ秒であり、各サブフレームは2つのタイムスロットを含み、各タイムスロットの長さは0.5ミリ秒である。サブフレームのサイクリックプレフィックスがノーマル(normal)サイクリックプレフィックス(cyclic prefix、略してCP)であるときに、各タイムスロットは、7個の直交周波数分割多重シンボルを含むか、またはサブフレームのサイクリックプレフィックスが拡張(extended)CPであるときに、各タイムスロットは、6個の直交周波数分割多重シンボルを含む。
【０１０３】
ステップ102:第1の物理チャネルをユーザ機器UEに送信し、第1の物理チャネルは、第1の情報を運ぶ。
【０１０４】
この実施形態において、基地局は、第1の物理チャネルをUEに送信し、第1の物理チャネルは、第1の情報を運び、第1の情報がシステム情報またはシステム情報のスケジューリング情報であり得ることは、特に、
システム情報がマスタ情報ブロックMIB、新しいUEカテゴリのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり得ることであってよく、それに対応して、第1の物理チャネルは、システム情報を運ぶ物理報知チャネルPBCH、および/またはシステム情報を運ぶ拡張PBCHである。
【０１０５】
たとえば、システム情報は、マスタ情報ブロックMIBであり、それに対応して、第1の物理チャネルは、MIBを運ぶ物理報知チャネルPBCH、および/またはMIBを運ぶ拡張PBCHであるか、または
システム情報は、マシンタイプ通信マスタ情報ブロックMTC MIBであり、それに対応して、第1の物理チャネルは、MTC MIBを運ぶ物理報知チャネルPBCH、および/またはMTC MIBを運ぶ拡張PBCHである。
【０１０６】
適宜、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、それに対応して、第1の物理チャネルは、システム情報を運ぶ物理ダウンリンク共有チャネルPDSCH、および/またはシステム情報を運ぶ拡張PDSCHである。
【０１０７】
たとえば、システム情報は、システム情報ブロックタイプ1 SIB1であり、それに対応して、第1の物理チャネルは、SIB1を運ぶ物理ダウンリンク共有チャネルPDSCH、および/またはSIB1を運ぶ拡張PDSCHであるか、または
システム情報は、SIB2であり、それに対応して、第1の物理チャネルは、SIB2を運ぶ物理ダウンリンク共有チャネルPDSCH、および/またはSIB2を運ぶ拡張PDSCHであるか、または
システム情報は、SIであり、それに対応して、第1の物理チャネルは、SIを運ぶ物理ダウンリンク共有チャネルPDSCH、および/またはSIを運ぶ拡張PDSCHであるか、または
システム情報は、MTC SIB1であり、それに対応して、第1の物理チャネルは、MTC SIB1を運ぶ物理ダウンリンク共有チャネルPDSCH、および/またはMTC SIB1を運ぶ拡張PDSCHであるか、または
システム情報は、MTC SIB2であり、それに対応して、第1の物理チャネルは、MTC SIB2を運ぶ物理ダウンリンク共有チャネルPDSCH、および/またはMTC SIB2を運ぶ拡張PDSCHであるか、または
システム情報は、MTC SIであり、それに対応して、第1の物理チャネルは、MTC SIを運ぶ物理ダウンリンク共有チャネルPDSCH、および/またはMTC SIを運ぶ拡張PDSCHであるか、または
システム情報は、新しいMTC SIであり、それに対応して、第1の物理チャネルは、新しいMTC SIを運ぶ物理ダウンリンク共有チャネルPDSCH、および/または新しいMTC SIを運ぶ拡張PDSCHである。
【０１０８】
さらに、前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであってよく、それに対応して、第1の物理チャネルは、前述のDCIを運ぶ物理ダウンリンク制御チャネルPDCCH、および/またはDCIを運ぶ拡張PDCCHである。
【０１０９】
たとえば、スケジューリング情報は、SIB1をスケジューリングするためのDCIであり、それに対応して、第1の物理チャネルは、SIB1をスケジューリングするためのDCIを運ぶPDCCH、および/またはSIB1をスケジューリングするためのDCIを運ぶ拡張PDCCHであるか、または
スケジューリング情報は、SIB2をスケジューリングするためのDCIであり、それに対応して、第1の物理チャネルは、SIB2をスケジューリングするためのDCIを運ぶPDCCH、および/またはSIB2をスケジューリングするためのDCIを運ぶ拡張PDCCHであるか、または
スケジューリング情報は、SIをスケジューリングするためのDCIであり、それに対応して、第1の物理チャネルは、SIをスケジューリングするためのDCIを運ぶPDCCH、および/またはSIをスケジューリングするためのDCIを運ぶ拡張PDCCHであるか、または
スケジューリング情報は、MTC SIB1をスケジューリングするためのDCIであり、それに対応して、第1の物理チャネルは、MTC SIB1をスケジューリングするためのDCIを運ぶPDCCH、および/またはMTC SIB1をスケジューリングするためのDCIを運ぶ拡張PDCCHであるか、または
スケジューリング情報は、MTC SIB2をスケジューリングするためのDCIであり、それに対応して、第1の物理チャネルは、MTC SIB2をスケジューリングするためのDCIを運ぶPDCCH、および/またはMTC SIB2をスケジューリングするためのDCIを運ぶ拡張PDCCHであるか、または
スケジューリング情報は、MTC SIをスケジューリングするためのDCIであり、それに対応して、第1の物理チャネルは、MTC SIをスケジューリングするためのDCIを運ぶPDCCH、および/またはMTC SIをスケジューリングするためのDCIを運ぶ拡張PDCCHであるか、または
スケジューリング情報は、新しいMTC SIBをスケジューリングするためのDCIであり、それに対応して、第1の物理チャネルは、新しいMTC SIBをスケジューリングするためのDCIを運ぶPDCCH、および/または新しいMTC SIBをスケジューリングするためのDCIを運ぶ拡張PDCCHである。
【０１１０】
本発明のこの実施形態で提供されるTDDシステムにおける情報伝送方法において、第1の情報は、無線フレーム内の複数のプリセットされたサブフレーム上にマッピングされ、複数のプリセットされたサブフレームは、少なくともサブフレーム0およびサブフレーム5を含み、第1の情報は、システム情報またはシステム情報のスケジューリング情報であり、次いで、第1の物理チャネルが、ユーザ機器UEに送信され、第1の物理チャネルは、第1の情報を運び、これにより、UEは、複数のプリセットされたサブフレームにおいて第1の物理チャネルを検出し、第1の情報を決定し、それによって、UEの検出複雑度および電力消費量を低減することができる。
【０１１１】
さらに、前述の実施形態に基づき、ステップ102の後に、この方法は、
第2の物理チャネルをUEに送信するステップであって、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含み得る。
【０１１２】
図2は、本発明の別の実施形態によるTDDシステムにおける情報決定方法の流れ図である。図2に示されているように、この実施形態における方法は、以下のステップを含む。
【０１１３】
ステップ201:第1の物理チャネルを無線フレーム内の複数のプリセットされたサブフレームで受信し、複数のプリセットされたサブフレームは、少なくともサブフレーム0およびサブフレーム5を含み、第1の物理チャネルは、第1の情報を運ぶ。
【０１１４】
特に、UEは、第1の物理チャネルを無線フレーム内の複数のプリセットされたサブフレームで受信するものとしてよく、複数のプリセットされたサブフレームは、少なくともサブフレーム0およびサブフレーム5を含む。
【０１１５】
たとえば、複数のプリセットされたサブフレームは、サブフレーム0およびサブフレーム5を含み得るか、または、サブフレーム0およびサブフレーム5に加えて、複数のプリセットされたサブフレームは、サブフレーム1およびサブフレーム6のいずれかをさらに含むか、または、サブフレーム0およびサブフレーム5に加えて、複数のプリセットされたサブフレームは、サブフレーム3、サブフレーム4、サブフレーム7、サブフレーム8、およびサブフレーム9のうちの少なくとも1つをさらに含む。
【０１１６】
適宜、複数のプリセットされたサブフレームは、事前に規定されているアップリンク-ダウンリンク構成によって決定された無線フレーム内のすべてのダウンリンクサブフレームであるか、または複数のプリセットされたサブフレームは、事前に規定されているアップリンク-ダウンリンク構成によって決定された無線フレーム内のすべてのスペシャルサブフレームをさらに含むか、または複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または複数のプリセットされたサブフレームは、無線フレーム内のすべてのサブフレームである。
【０１１７】
この実施形態において、第1の情報は、システム情報またはシステム情報のスケジューリング情報である。
【０１１８】
特に、システム情報は、マスタ情報ブロックMIBおよびマシンタイプ通信マスタ情報ブロックMTC MIBのうちの少なくとも1つであってよく、それに対応して、第1の物理チャネルは、システム情報を運ぶ物理報知チャネルPBCH、および/またはシステム情報を運ぶ拡張PBCHである。
【０１１９】
たとえば、システム情報は、マスタ情報ブロックMIBであり、それに対応して、第1の物理チャネルは、MIBを運ぶ物理報知チャネルPBCH、および/またはMIBを運ぶ拡張PBCHであるか、または
システム情報は、マシンタイプ通信マスタ情報ブロックMTC MIBであり、それに対応して、第1の物理チャネルは、MTC MIBを運ぶ物理報知チャネルPBCH、および/またはMTC MIBを運ぶ拡張PBCHである。
【０１２０】
適宜、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIBのうちの少なくとも1つであり、それに対応して、第1の物理チャネルは、システム情報を運ぶ物理ダウンリンク共有チャネルPDSCH、および/またはシステム情報を運ぶ拡張PDSCHである。
【０１２１】
たとえば、システム情報は、システム情報ブロックタイプ1 SIB1であり、それに対応して、第1の物理チャネルは、SIB1を運ぶ物理ダウンリンク共有チャネルPDSCH、および/またはSIB1を運ぶ拡張PDSCHであるか、または
システム情報は、SIB2であり、それに対応して、第1の物理チャネルは、SIB2を運ぶ物理ダウンリンク共有チャネルPDSCH、および/またはSIB2を運ぶ拡張PDSCHであるか、または
システム情報は、SIであり、それに対応して、第1の物理チャネルは、SIを運ぶ物理ダウンリンク共有チャネルPDSCH、および/またはSIを運ぶ拡張PDSCHであるか、または
システム情報は、MTC SIB1であり、それに対応して、第1の物理チャネルは、MTC SIB1を運ぶ物理ダウンリンク共有チャネルPDSCH、および/またはMTC SIB1を運ぶ拡張PDSCHであるか、または
システム情報は、MTC SIB2であり、それに対応して、第1の物理チャネルは、MTC SIB2を運ぶ物理ダウンリンク共有チャネルPDSCH、および/またはMTC SIB2を運ぶ拡張PDSCHであるか、または
システム情報は、MTC SIであり、それに対応して、第1の物理チャネルは、MTC SIを運ぶ物理ダウンリンク共有チャネルPDSCH、および/またはMTC SIを運ぶ拡張PDSCHであるか、または
システム情報は、新しいMTC SIであり、それに対応して、第1の物理チャネルは、新しいMTC SIを運ぶ物理ダウンリンク共有チャネルPDSCH、および/または新しいMTC SIを運ぶ拡張PDSCHである。
【０１２２】
さらに、前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであってよく、それに対応して、第1の物理チャネルは、前述のDCIを運ぶ物理ダウンリンク制御チャネルPDCCH、および/またはDCIを運ぶ拡張PDCCHである。
【０１２３】
たとえば、スケジューリング情報は、SIB1をスケジューリングするためのDCIであり、それに対応して、第1の物理チャネルは、SIB1をスケジューリングするためのDCIを運ぶPDCCH、および/またはSIB1をスケジューリングするためのDCIを運ぶ拡張PDCCHであるか、または
スケジューリング情報は、SIB2をスケジューリングするためのDCIであり、それに対応して、第1の物理チャネルは、SIB2をスケジューリングするためのDCIを運ぶPDCCH、および/またはSIB2をスケジューリングするためのDCIを運ぶ拡張PDCCHであるか、または
スケジューリング情報は、SIをスケジューリングするためのDCIであり、それに対応して、第1の物理チャネルは、SIをスケジューリングするためのDCIを運ぶPDCCH、および/またはSIをスケジューリングするためのDCIを運ぶ拡張PDCCHであるか、または
スケジューリング情報は、MTC SIB1をスケジューリングするためのDCIであり、それに対応して、第1の物理チャネルは、MTC SIB1をスケジューリングするためのDCIを運ぶPDCCH、および/またはMTC SIB1をスケジューリングするためのDCIを運ぶ拡張PDCCHであるか、または
スケジューリング情報は、MTC SIB2をスケジューリングするためのDCIであり、それに対応して、第1の物理チャネルは、MTC SIB2をスケジューリングするためのDCIを運ぶPDCCH、および/またはMTC SIB2をスケジューリングするためのDCIを運ぶ拡張PDCCHであるか、または
スケジューリング情報は、MTC SIをスケジューリングするためのDCIであり、それに対応して、第1の物理チャネルは、MTC SIをスケジューリングするためのDCIを運ぶPDCCH、および/またはMTC SIをスケジューリングするためのDCIを運ぶ拡張PDCCHであるか、または
スケジューリング情報は、新しいMTC SIBをスケジューリングするためのDCIであり、それに対応して、第1の物理チャネルは、新しいMTC SIBをスケジューリングするためのDCIを運ぶPDCCH、および/または新しいMTC SIBをスケジューリングするためのDCIを運ぶ拡張PDCCHである。
【０１２４】
ステップ202:受信された第1の物理チャネルに従って第1の情報を決定する。
【０１２５】
この実施形態において、UEは、第1の物理チャネルを無線フレーム内の複数のプリセットされたサブフレームで受信し、受信された第1の物理チャネルに従って第1の情報を決定する。
【０１２６】
LTEシステムのリソースは、時間領域内で複数の無線フレームに分割され、1つの無線フレームは、サブフレーム0、サブフレーム1からサブフレーム9の順序で無線フレーム内に配置構成された10個のサブフレームを含むことに留意されたい。
【０１２７】
本発明のこの実施形態で提供されるTDDシステムにおける情報決定方法において、第1の物理チャネルは、無線フレーム内の複数のプリセットされたサブフレームで受信され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、次いで、第1の情報無線フレームは、受信された第1の物理チャネルに従って決定され、これにより、UEは、決定された複数のサブフレームにおいて第1の物理チャネルを検出し、それにより、UEの検出複雑度および電力消費量を低減する。
【０１２８】
さらに、前述の実施形態に基づき、ステップ202の後に、この方法は、
第2の物理チャネルを受信するステップであって、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む、ステップをさらに含む。
【０１２９】
LTE TDDシステムでは、1つの無線フレームは、10個のフレーム、たとえば、サブフレーム0からサブフレーム9を含むものとしてよく、無線フレームは、長さ5ミリ秒のハーフフレーム2個で形成され、各ハーフフレームは、長さ1ミリ秒のサブフレーム5個を有する。サブフレーム0およびサブフレーム5に加えて、複数のプリセットされたサブフレームは、無線フレーム内に別のサブフレームをさらに含み得る。
【０１３０】
たとえば、複数のプリセットされたサブフレームは、サブフレーム1およびサブフレーム6のいずれかをさらに含み得る。
【０１３１】
図3Aは、本発明の一実施形態による無線フレーム内の複数のプリセットされたサブフレームを示す概略図である。図3Bは、本発明の別の実施形態による無線フレーム内の複数のプリセットされたサブフレームを示す概略図である。図3Aに示されているように、第1の情報は、無線フレーム内のサブフレーム0、サブフレーム1、およびサブフレーム5上にマッピングされ得るか、または図3Bに示されているように、第1の情報は、無線フレーム内のサブフレーム0、サブフレーム5、およびサブフレーム6上にマッピングされ得る。
【０１３２】
適宜、前述の実施形態に基づき、複数のサブフレームは、サブフレーム1およびサブフレーム6をさらに含み得る。すなわち、第1の情報は、無線フレーム内のサブフレーム0、サブフレーム1、サブフレーム5、およびサブフレーム6上にマッピングされ得る。
【０１３３】
さらに、前述の実施形態に基づき、複数のプリセットされたサブフレームは、サブフレーム3、サブフレーム4、サブフレーム7、サブフレーム8、およびサブフレーム9のうちの少なくとも1つをさらに含み得る。
【０１３４】
たとえば、サブフレーム0、サブフレーム1、サブフレーム5、およびサブフレーム6加えて、複数のプリセットされたサブフレームは、サブフレーム3、サブフレーム4、サブフレーム7、サブフレーム8、およびサブフレーム9のうちのいずれか1つをさらに含み得るか、または複数のプリセットされたサブフレームは、サブフレーム3、サブフレーム4、サブフレーム7、サブフレーム8、およびサブフレーム9のうちのいずれか2つをさらに含み得るか、または複数のプリセットされたサブフレームは、サブフレーム3、サブフレーム4、サブフレーム7、サブフレーム8、およびサブフレーム9すべてのうちのいずれか3つをさらに含み得か、または複数のプリセットされたサブフレームは、サブフレーム3、サブフレーム4、サブフレーム7、サブフレーム8、およびサブフレーム9すべてをさらに含み得る。
【０１３５】
この実施形態の別の実装方式は、次のうちのいずれか1つをさらに含み得る。
【０１３６】
第1の実装方式において、複数のプリセットされたサブフレームは、事前に規定されているアップリンク-ダウンリンク構成(Uplink-downlink configuration)によって決定された無線フレーム内のすべてのダウンリンクサブフレームである。
【０１３７】
たとえば、複数のプリセットされたサブフレームは、事前に規定されているアップリンク-ダウンリンク構成5によって決定された無線フレーム内のすべてのダウンリンクサブフレームを含み得る。Table 1(表1)に示されているように、複数のサブフレームは、サブフレーム0、サブフレーム3、サブフレーム4、サブフレーム5、サブフレーム6、サブフレーム7、サブフレーム8、およびサブフレーム9であるものとしてよい。
【０１３８】
特に、たとえば、MIBおよび/またはMTC MIBは、サブフレーム0、サブフレーム3、サブフレーム4、サブフレーム5、サブフレーム6、サブフレーム7、サブフレーム8、およびサブフレーム9上にマッピングされる。
【０１３９】
【表１】
2016531509.tif 000003
【０１４０】
Table 1(表1)の「D」は、このサブフレームがダウンリンク伝送に使用されることを表し、「U」は、このサブフレームがアップリンク伝送に使用されることを表し、「S」は、このサブフレームがスペシャルサブフレームであることを表す。
【０１４１】
第2の実装方式において、複数のプリセットされたサブフレームは、事前に規定されているアップリンク-ダウンリンク構成によって決定された無線フレーム内のすべてのスペシャルサブフレームをさらに含む。
【０１４２】
たとえば、Table 1(表1)に示されているように、複数のプリセットされたサブフレームは、事前に規定されているアップリンク-ダウンリンク構成5によって決定された無線フレーム内のすべてのスペシャルサブフレームをさらに含む、すなわち、複数のプリセットされたサブフレームは、サブフレーム1をさらに含む。
【０１４３】
第3の実装方式において、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことを含む。
【０１４４】
たとえば、複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含む。Table 1(表1)に示されているように、サブフレーム0およびサブフレーム5に加えて、複数のプリセットされたサブフレームは、サブフレーム1、サブフレーム3、サブフレーム4、サブフレーム6、サブフレーム7、サブフレーム8、およびサブフレーム9をさらに含む。
【０１４５】
さらに、この実施形態では、ダウンリンクノーマルサイクリックプレフィックスについては、スペシャルサブフレーム構成は、事前に規定されているスペシャルサブフレーム構成4であり(Table 2(表2)で示されているように)、ダウンリンク拡張サイクリックプレフィックスについては、スペシャルサブフレーム構成は、事前に規定されているスペシャルサブフレーム構成3である(Table 2(表2)で示されているように)。
【０１４６】
特に、MIBおよび/またはMTC MIBは、サブフレーム0、サブフレーム1、サブフレーム3、サブフレーム4、サブフレーム5、サブフレーム6、サブフレーム7、サブフレーム8、およびサブフレーム9上にマッピングされる。
【０１４７】
第4の実装方式において、複数のプリセットされたサブフレームは、無線フレーム内のすべてのサブフレーム、すなわち、無線フレーム内の10個のサブフレームすべてである。
【０１４８】
前述の実施形態において、無線フレーム内の複数のプリセットされたサブフレームがスペシャルサブフレームを含む場合、スペシャルサブフレームのスペシャルサブフレーム構成は、事前に規定されているスペシャルサブフレーム構成であることに留意されたい。
【０１４９】
【表２】
2016531509.tif 000004
【０１５０】
スペシャルサブフレームのスペシャルサブフレーム構成は、Table 2(表2)に示されているスペシャルサブフレーム構成0からスペシャルサブフレーム構成8までの事前に規定されているスペシャルサブフレーム構成である。たとえば、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。さらに、スペシャルサブフレームは、サブフレーム1および/またはサブフレーム6であってもよい。
【０１５１】
特に、1つのスペシャルサブフレームは、3つのフィールド、すなわち、UpPTS、GP、およびDwPTSによって形成される。UpPTSおよびDwPTSの時間長に対応するスペシャルサブフレーム構成は、Table 2(表2)に示されており、UpPTS、GP、およびDwPTSの総時間長は、1ミリ秒である。
【０１５２】
たとえば、ダウンリンクノーマルCPについては、無線フレーム内の複数のプリセットされたサブフレームがスペシャルサブフレーム1を含む場合、スペシャルサブフレーム1のスペシャルサブフレーム構成は、事前に規定されているスペシャルサブフレーム構成4である。したがって、スペシャルサブフレーム1の構造は、次のとおりである。
DwPTSは26336・Tsであり、UpPTSでは、アップリンクノーマルCPは2192・Tsであり、アップリンク拡張CPは2560・Tsである。
【０１５３】
LTE TDDシステムでは、システム情報および/またはシステム情報のスケジューリング情報は、複数のプリセットされたサブフレームを使用することによって伝送され、それによって、UEがシステム情報および/またはシステム情報のスケジューリング情報上でブラインド検出を実行するという事実によって引き起こされるUEの電力が大量に消費されるのを回避する。
【０１５４】
図4は、本発明の一実施形態によるTDDシステムにおける拡張PBCHのマッピングを示す概略図である。図4に示されているように、LTE TDDシステムにおいて、拡張PBCHは、4つの連続する無線フレーム上にマッピングされ、4つの無線フレームの各無線フレームにおいて、拡張PBCHで運ばれるMIBは、プリセットされたサブフレーム0、サブフレーム1、サブフレーム5、およびサブフレーム6上にマッピングされる。すなわち、拡張PBCHは、既存のPBCHを含むだけでなく、MIBの繰り返し送信も含む。さらに、サブフレーム1およびサブフレーム6におけるスペシャルサブフレーム構成は、事前に規定されており、したがって、拡張PBCHは、MIBを、事前に規定されているスペシャルサブフレーム構成によって決定されたダウンリンク直交周波数分割多重シンボル内にマッピングすることができる。
【０１５５】
UEについては、UE側にTDDシステムのアップリンク-ダウンリンク構成が知られていない場合であっても、UEは、4つの無線フレームのうちの各無線フレーム内のプリセットされたサブフレーム0、サブフレーム1、サブフレーム5、およびサブフレーム6で拡張PBCHを受信することができる。さらに、UEは、サブフレーム1およびサブフレーム6の事前に規定されているスペシャルサブフレーム構成に従って拡張PBCHを受信し、それにより、拡張PBCHで運ばれるMIBを決定する。
【０１５６】
図5は、本発明の一実施形態によるTDDシステムにおける情報伝送装置の概略構造図である。図5に示されているように、TDDシステムにおける情報伝送装置は、マッピングモジュール501および送信モジュール502を備え、
マッピングモジュール501は、第1の情報を無線フレーム内の複数のプリセットされたサブフレーム上にマッピングするように構成され、複数のプリセットされたサブフレームは、少なくともサブフレーム0およびサブフレーム5を含み、第1の情報は、システム情報またはシステム情報のスケジューリング情報であり、
送信モジュール502は、第1の物理チャネルをユーザ機器UEに送信するように構成され、第1の物理チャネルは、第1の情報を運ぶ。
【０１５７】
本発明のこの実施形態で実現されるTDDシステムにおける情報伝送装置において、第1の情報は、無線フレーム内の複数のプリセットされたサブフレーム上にマッピングされ、複数のプリセットされたサブフレームは、少なくともサブフレーム0およびサブフレーム5を含み、第1の情報は、システム情報またはシステム情報のスケジューリング情報であり、次いで、第1の物理チャネルが、ユーザ機器UEに送信され、第1の物理チャネルは、第1の情報を運び、これにより、UEは、無線フレーム内の複数のプリセットされたサブフレームにおいて第1の物理チャネルを検出し、受信された第1の物理チャネルに従って第1の情報を決定し、それによって、UEの検出複雑度および電力消費量を低減することができる。
【０１５８】
前述の実施形態に基づき、複数のプリセットされたサブフレームは、サブフレーム1およびサブフレーム6のいずれかをさらに含む。
【０１５９】
適宜、複数のプリセットされたサブフレームは、サブフレーム1およびサブフレーム6をさらに含む。
【０１６０】
さらに、前述の実施形態に基づき、複数のプリセットされたサブフレームは、サブフレーム3、サブフレーム4、サブフレーム7、サブフレーム8、およびサブフレーム9のうちの少なくとも1つをさらに含む。
【０１６１】
適宜、複数のサブフレームは、サブフレーム3、サブフレーム4、サブフレーム7、サブフレーム8、およびサブフレーム9をさらに含む。
【０１６２】
前述の実施形態に基づき、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【０１６３】
さらに、前述の実施形態に基づき、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む、すなわち、サブフレーム0およびサブフレーム5に加えて、複数のプリセットされたサブフレームは、サブフレーム1、サブフレーム3、サブフレーム4、サブフレーム6、サブフレーム7、サブフレーム8、およびサブフレーム9をさらに含む。
【０１６４】
前述の実施形態に基づき、スペシャルサブフレームの構成は、事前に規定されているスペシャルサブフレーム構成である。
【０１６５】
さらに、前述の実施形態に基づき、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【０１６６】
さらに、前述の実施形態に基づき、スペシャルサブフレームは、サブフレーム1および/またはサブフレーム6である。
【０１６７】
前述の実施形態に基づき、送信モジュール502は、第2の物理チャネルをUEに送信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【０１６８】
前述の実施形態に基づき、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【０１６９】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【０１７０】
前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、DCIを運ぶ物理ダウンリンク制御チャネルPDCCH、および/またはDCIを運ぶ拡張PDCCHである。
【０１７１】
図6は、本発明の一実施形態によるTDDシステムにおける情報決定装置の概略構造図である。図6に示されているように、TDDシステムにおける情報決定装置は、受信モジュール601および決定モジュール602を備え、
受信モジュール601は、第1の物理チャネルを無線フレーム内の複数のプリセットされたサブフレームで受信するように構成され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、
決定モジュール602は、受信された第1の物理チャネルに従って第1の情報を決定するように構成される。
【０１７２】
本発明のこの実施形態で実現されるTDDシステムにおける情報決定装置において、第1の物理チャネルは、無線フレーム内の複数のプリセットされたサブフレームで受信され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、次いで、第1の情報は、受信された第1の物理チャネルに従って決定され、これにより、UEの検出複雑度および電力消費量を低減する。
【０１７３】
前述の実施形態に基づき、複数のプリセットされたサブフレームは、サブフレーム1およびサブフレーム6のいずれかをさらに含む。
【０１７４】
適宜、前述の実施形態に基づき、複数のプリセットされたサブフレームは、サブフレーム1およびサブフレーム6をさらに含む。
【０１７５】
前述の実施形態に基づき、複数のプリセットされたサブフレームは、サブフレーム3、サブフレーム4、サブフレーム7、サブフレーム8、およびサブフレーム9のうちの少なくとも1つをさらに含む。
【０１７６】
適宜、前述の実施形態に基づき、複数のプリセットされたサブフレームは、サブフレーム3、サブフレーム4、サブフレーム7、サブフレーム8、およびサブフレーム9をさらに含む。
【０１７７】
さらに、前述の実施形態に基づき、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【０１７８】
前述の実施形態に基づき、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む、すなわち、サブフレーム0およびサブフレーム5に加えて、複数のプリセットされたサブフレームは、サブフレーム1、サブフレーム3、サブフレーム4、サブフレーム6、サブフレーム7、サブフレーム8、およびサブフレーム9をさらに含む。
【０１７９】
前述の実施形態に基づき、スペシャルサブフレームの構成は、事前に規定されているスペシャルサブフレーム構成である。
【０１８０】
さらに、前述の実施形態に基づき、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【０１８１】
さらに、前述の実施形態に基づき、スペシャルサブフレームは、サブフレーム1および/またはサブフレーム6である。
【０１８２】
適宜、前述の実施形態に基づき、受信モジュール601は、第2の物理チャネルを受信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【０１８３】
さらに、前述の実施形態に基づき、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【０１８４】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【０１８５】
前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、DCIを運ぶ物理ダウンリンク制御チャネルPDCCH、および/またはDCIを運ぶ拡張PDCCHである。
【０１８６】
図7は、本発明の一実施形態による基地局の概略構造図である。図7に示されているように、基地局は、プロセッサ701および送信機702を備え、
プロセッサ701は、第1の情報を無線フレーム内の複数のプリセットされたサブフレーム上にマッピングするように構成され、複数のプリセットされたサブフレームは、少なくともサブフレーム0およびサブフレーム5を含み、第1の情報は、システム情報またはシステム情報のスケジューリング情報であり、
送信機702は、第1の物理チャネルをユーザ機器UEに送信するように構成され、第1の物理チャネルは、第1の情報を運ぶ。
【０１８７】
本発明のこの実施形態で実現される基地局において、第1の情報は、無線フレーム内の複数のプリセットされたサブフレーム上にマッピングされ、複数のプリセットされたサブフレームは、少なくともサブフレーム0およびサブフレーム5を含み、第1の情報は、システム情報またはシステム情報のスケジューリング情報であり、次いで、第1の物理チャネルが、ユーザ機器UEに送信され、第1の物理チャネルは、第1の情報を運び、これにより、UEは、無線フレーム内の複数のプリセットされたサブフレームにおいて第1の物理チャネルを受信し、受信された第1の物理チャネルに従って第1の情報を決定し、それによって、UEの検出複雑度および電力消費量を低減する。
【０１８８】
前述の実施形態に基づき、複数のプリセットされたサブフレームは、サブフレーム1およびサブフレーム6のいずれかをさらに含む。
【０１８９】
適宜、前述の実施形態に基づき、複数のプリセットされたサブフレームは、サブフレーム1およびサブフレーム6をさらに含む。
【０１９０】
前述の実施形態に基づき、複数のプリセットされたサブフレームは、サブフレーム3、サブフレーム4、サブフレーム7、サブフレーム8、およびサブフレーム9のうちの少なくとも1つをさらに含む。
【０１９１】
適宜、前述の実施形態に基づき、複数のサブフレームは、サブフレーム3、サブフレーム4、サブフレーム7、サブフレーム8、およびサブフレーム9をさらに含む。
【０１９２】
前述の実施形態に基づき、複数のプリセットされたサブフレームは、事前に規定されているアップリンク-ダウンリンク構成によって決定された無線フレーム内のすべてのダウンリンクサブフレームであるか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【０１９３】
さらに、前述の実施形態に基づき、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む、すなわち、サブフレーム0およびサブフレーム5に加えて、複数のプリセットされたサブフレームは、サブフレーム1、サブフレーム3、サブフレーム4、サブフレーム6、サブフレーム7、サブフレーム8、およびサブフレーム9をさらに含む。
【０１９４】
前述の実施形態に基づき、スペシャルサブフレームの構成は、事前に規定されているスペシャルサブフレーム構成である。
【０１９５】
さらに、前述の実施形態に基づき、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【０１９６】
適宜、前述の実施形態に基づき、スペシャルサブフレームは、サブフレーム1および/またはサブフレーム6である。
【０１９７】
さらに、前述の実施形態に基づき、送信機702は、第2の物理チャネルをUEに送信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【０１９８】
前述の実施形態に基づき、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【０１９９】
さらに、前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【０２００】
前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、DCIを運ぶ物理ダウンリンク制御チャネルPDCCH、および/またはDCIを運ぶ拡張PDCCHである。
【０２０１】
図8は、本発明の一実施形態によるユーザ機器の概略構造図である。図8に示されているように、基地局は、受信機801およびプロセッサ802を備え、
受信機801は、第1の物理チャネルを無線フレーム内の複数のプリセットされたサブフレームで受信するように構成され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、
プロセッサ802は、受信された第1の物理チャネルに従って第1の情報を決定するように構成される。
【０２０２】
本発明のこの実施形態で実現されるユーザ機器において、第1の物理チャネルは、無線フレーム内の複数のプリセットされたサブフレームで受信され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、次いで、第1の情報は、受信された第1の物理チャネルに従って決定され、これにより、UEの検出複雑度および電力消費量を低減する。
【０２０３】
前述の実施形態に基づき、複数のプリセットされたサブフレームは、サブフレーム1およびサブフレーム6のいずれかをさらに含む。
【０２０４】
適宜、前述の実施形態に基づき、複数のプリセットされたサブフレームは、サブフレーム1およびサブフレーム6をさらに含む。
【０２０５】
前述の実施形態に基づき、複数のプリセットされたサブフレームは、サブフレーム3、サブフレーム4、サブフレーム7、サブフレーム8、およびサブフレーム9のうちの少なくとも1つをさらに含む。
【０２０６】
適宜、前述の実施形態に基づき、複数のプリセットされたサブフレームは、サブフレーム3、サブフレーム4、サブフレーム7、サブフレーム8、およびサブフレーム9をさらに含む。
【０２０７】
前述の実施形態に基づき、複数のプリセットされたサブフレームは、事前に規定されているアップリンク-ダウンリンク構成によって決定された無線フレーム内のすべてのダウンリンクサブフレームを含むか、または
複数のプリセットされたサブフレームは、事前に規定されているアップリンク-ダウンリンク構成によって決定された無線フレーム内のすべてのスペシャルサブフレームをさらに含むか、または
複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
複数のプリセットされたサブフレームは、無線フレーム内のすべてのサブフレームである。
【０２０８】
さらに、前述の実施形態に基づき、複数のプリセットされたサブフレームが、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むことは、
複数のプリセットされたサブフレームが、事前に規定されているアップリンク-ダウンリンク構成5によって決定された無線フレーム内の、サブフレーム0およびサブフレーム5を除く、すべてのダウンリンクサブフレームおよびスペシャルサブフレームをさらに含むことを含む、すなわち、サブフレーム0およびサブフレーム5に加えて、複数のプリセットされたサブフレームは、サブフレーム1、サブフレーム3、サブフレーム4、サブフレーム6、サブフレーム7、サブフレーム8、およびサブフレーム9をさらに含む。
【０２０９】
前述の実施形態に基づき、スペシャルサブフレームの構成は、事前に規定されているスペシャルサブフレーム構成である。
【０２１０】
さらに、前述の実施形態に基づき、ダウンリンクノーマルサイクリックプレフィックスについては、スペシャルサブフレームの構成は、事前に規定されているスペシャルサブフレーム構成4であり、ダウンリンク拡張サイクリックプレフィックスについては、スペシャルサブフレームの構成は、事前に規定されているスペシャルサブフレーム構成3である。
【０２１１】
前述の実施形態に基づき、スペシャルサブフレームは、サブフレーム1および/またはサブフレーム6である。
【０２１２】
前述の実施形態に基づき、受信機801は、第2の物理チャネルを受信するようにさらに構成され、第2の物理チャネルを伝送するための無線フレームのアップリンク-ダウンリンク構成は、第1の情報を伝送するための無線フレームのアップリンク-ダウンリンク構成と異なり、および/または第2の物理チャネルを伝送するための無線フレーム内のスペシャルサブフレームのスペシャルサブフレーム構成は、第1の情報を伝送するための無線フレーム内のスペシャルサブフレームのスペシャルサブフレーム構成と異なり、第2の物理チャネルは、物理ダウンリンク制御チャネルPDCCH、拡張物理ダウンリンク制御チャネルePDCCH、物理制御フォーマットインジケータチャネルPCFICH、物理ハイブリッド自動再送要求インジケータチャネルPHICH、および物理ダウンリンク共有チャネルPDSCHのうちのいずれか1つを含む。
【０２１３】
前述の実施形態に基づき、システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
第1の物理チャネルは、システム情報を運ぶ物理報知チャネルPBCH、および/またはシステム情報を運ぶ拡張PBCHである。
【０２１４】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIBのうちの少なくとも1つであり、
第1の物理チャネルは、システム情報を運ぶ物理ダウンリンク共有チャネルPDSCH、および/またはシステム情報を運ぶ拡張PDSCHである。
【０２１５】
前述の実施形態に基づき、スケジューリング情報は、SIB1をスケジューリングするためのダウンリンク制御情報DCI、SIB2をスケジューリングするためのDCI、SIをスケジューリングするためのDCI、MTC SIB1をスケジューリングするためのDCI、MTC SIB2をスケジューリングするためのDCI、MTC SIをスケジューリングするためのDCI、新しいUEカテゴリのシステム情報をスケジューリングするためのDCI、新しいUEタイプのシステム情報をスケジューリングするためのDCI、低コストUEのシステム情報をスケジューリングするためのDCI、通信可能範囲拡張UEのシステム情報をスケジューリングするためのDCI、遅延耐性UEのシステム情報をスケジューリングするためのDCI、および新しいMTC SIBをスケジューリングするためのDCIのうちの少なくとも1つであり、
第1の物理チャネルは、DCIを運ぶ物理ダウンリンク制御チャネルPDCCH、および/またはDCIを運ぶ拡張PDCCHである。
【０２１６】
前述の実施形態に基づき、一実施形態は、図5に示されているTDDシステムにおける情報伝送装置と、図6に示されているTDDシステムにおける情報決定装置とを備える、通信システムを実現する。
【０２１７】
前述の実施形態に基づき、一実施形態は、図7に示されている基地局と、図8に示されているユーザ機器とを備える、通信システムを実現する。
【０２１８】
当業者であれば、方法実施形態のステップの全部または一部が関連するハードウェアに命令を送るプログラムによって実装され得ることを理解し得る。プログラムは、コンピュータ可読記憶媒体に記憶され得る。プログラムが実行されると、方法実施形態のステップが実行される。前述の記憶媒体は、ROM、RAM、磁気ディスク、または光ディスクなどの、プログラムコードを格納することができる任意の媒体を含む。
【０２１９】
最後に、前述の実施形態は、本発明の技術的解決策を説明することのみを意図されており、本発明は制限することを意図されていないことに留意されたい。本発明は、前記の実施形態を参照しつつ詳しく説明されているけれども、当業者であれば、本発明の実施形態の技術的解決策の範囲から逸脱することなく、前記の実施形態において説明されている技術的解決策に修正を加えるか、またはその一部または全部の技術的特徴に対する同等の置き換えを行うことがそのまま可能であることを理解するであろう。
【符号の説明】
【０２２０】
0〜9  サブフレーム
501  マッピングモジュール
502  送信モジュール
601  受信モジュール
602  決定モジュール
701  プロセッサ
702  送信機
801  受信機
802  プロセッサ
【図１】
2016531509.tif 000005
【図２】
2016531509.tif 000006
【図３Ａ】
2016531509.tif 000007
【図３Ｂ】
2016531509.tif 000008
【図４】
2016531509.tif 000009
【図５】
2016531509.tif 000010
【図６】
2016531509.tif 000011
【図７】
2016531509.tif 000012
【図８】
2016531509.tif 000013
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
TDDシステムにおける情報伝送方法であって、
第1の情報を無線フレーム内の複数のプリセットされたサブフレーム上にマッピングするステップであって、前記複数のプリセットされたサブフレームは、少なくともサブフレーム0およびサブフレーム5を含み、前記第1の情報は、システム情報またはシステム情報のスケジューリング情報である、ステップと、
第1の物理チャネルをユーザ機器UEに送信するステップであって、前記第1の物理チャネルは前記第1の情報を運ぶ、ステップとを含む情報伝送方法。
【請求項２】
前記複数のプリセットされたサブフレームは、サブフレーム1およびサブフレーム6のうちの少なくとも1つをさらに含む請求項1に記載の方法。
【請求項３】
前記複数のプリセットされたサブフレームは、サブフレーム3、サブフレーム4、サブフレーム7、サブフレーム8、およびサブフレーム9のうちの少なくとも1つをさらに含む請求項1または2に記載の方法。
【請求項４】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項1に記載の方法。
【請求項５】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項1から4のいずれか一項に記載の方法。
【請求項６】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
前記第1の物理チャネルは、前記システム情報を運ぶ物理ダウンリンク共有チャネルPDSCH、および/または前記システム情報を運ぶ拡張PDSCHである請求項1から4のいずれか一項に記載の方法。
【請求項７】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項1から6のいずれか一項に記載の方法。
【請求項８】
TDDシステムにおける情報決定方法であって、
第1の物理チャネルを無線フレーム内の複数のプリセットされたサブフレームで受信するステップであって、前記複数のプリセットされたサブフレームは、少なくともサブフレーム0およびサブフレーム5を含み、前記第1の物理チャネルは、第1の情報を運び、前記第1の情報は、システム情報またはシステム情報のスケジューリング情報である、ステップと、
前記受信された第1の物理チャネルに従って前記第1の情報を決定するステップとを含む情報決定方法。
【請求項９】
前記複数のプリセットされたサブフレームは、サブフレーム1およびサブフレーム6のうちの少なくとも1つをさらに含む請求項8に記載の方法。
【請求項１０】
前記複数のプリセットされたサブフレームは、サブフレーム3、サブフレーム4、サブフレーム7、サブフレーム8、およびサブフレーム9のうちの少なくとも1つをさらに含む請求項8または9に記載の方法。
【請求項１１】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項8に記載の方法。
【請求項１２】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項8から11のいずれか一項に記載の方法。
【請求項１３】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
前記第1の物理チャネルは、前記システム情報を運ぶ物理ダウンリンク共有チャネルPDSCH、および/または前記システム情報を運ぶ拡張PDSCHである請求項8から11のいずれか一項に記載の方法。
【請求項１４】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項8から13のいずれか一項に記載の方法。
【請求項１５】
TDDシステムにおける情報伝送装置であって、
第1の情報を無線フレーム内の複数のプリセットされたサブフレーム上にマッピングするように構成されたマッピングモジュールであって、前記複数のプリセットされたサブフレームは、少なくともサブフレーム0およびサブフレーム5を含み、前記第1の情報は、システム情報またはシステム情報のスケジューリング情報である、マッピングモジュールと、
第1の物理チャネルをユーザ機器UEに送信するように構成された送信モジュールであって、前記第1の物理チャネルは前記第1の情報を運ぶ、送信モジュールとを備える情報伝送装置。
【請求項１６】
前記複数のプリセットされたサブフレームは、サブフレーム1およびサブフレーム6のうちの少なくとも1つをさらに含む請求項15に記載の装置。
【請求項１７】
前記複数のプリセットされたサブフレームは、サブフレーム3、サブフレーム4、サブフレーム7、サブフレーム8、およびサブフレーム9のうちの少なくとも1つをさらに含む請求項15または16に記載の装置。
【請求項１８】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項15に記載の装置。
【請求項１９】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項15から18のいずれか一項に記載の装置。
【請求項２０】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
前記第1の物理チャネルは、前記システム情報を運ぶ物理ダウンリンク共有チャネルPDSCH、および/または前記システム情報を運ぶ拡張PDSCHである請求項15から18のいずれか一項に記載の装置。
【請求項２１】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項15から20のいずれか一項に記載の装置。
【請求項２２】
TDDシステムにおける情報決定装置であって、
第1の物理チャネルを無線フレーム内の複数のプリセットされたサブフレームで受信するように構成された受信モジュールであって、前記複数のプリセットされたサブフレームは、少なくともサブフレーム0およびサブフレーム5を含み、前記第1の物理チャネルは、第1の情報を運び、前記第1の情報は、システム情報またはシステム情報のスケジューリング情報である、受信モジュールと、
前記受信された第1の物理チャネルに従って前記第1の情報を決定するように構成された決定モジュールとを備える情報決定装置。
【請求項２３】
前記複数のプリセットされたサブフレームは、サブフレーム1およびサブフレーム6のうちの少なくとも1つをさらに含む請求項22に記載の装置。
【請求項２４】
前記複数のプリセットされたサブフレームは、サブフレーム3、サブフレーム4、サブフレーム7、サブフレーム8、およびサブフレーム9のうちの少なくとも1つをさらに含む請求項22または23に記載の装置。
【請求項２５】
前記複数のプリセットされたサブフレームは、事前に規定されているアップリンク-ダウンリンク構成によって決定された無線フレーム内のすべてのダウンリンクサブフレームであるか、または
前記複数のプリセットされたサブフレームは、事前に規定されているアップリンク-ダウンリンク構成によって決定された無線フレーム内のすべてのスペシャルサブフレームをさらに含むか、または
前記複数のプリセットされたサブフレームは、事前に規定されているアップリンク-ダウンリンク構成によって決定された無線フレーム内の、サブフレーム0およびサブフレーム5を除く、すべてのダウンリンクサブフレームおよびスペシャルサブフレームをさらに含むか、または
前記複数のプリセットされたサブフレームは、前記無線フレーム内のすべてのサブフレームである請求項22に記載の装置。
【請求項２６】
前記システム情報は、マスタ情報ブロックMIB、新しいUEカテゴリのマスタ情報ブロック、新しいUEタイプのマスタ情報ブロック、通信可能範囲拡張UEのマスタ情報ブロック、遅延耐性UEのマスタ情報ブロック、およびマシンタイプ通信マスタ情報ブロックMTC MIBのうちの少なくとも1つであり、
前記第1の物理チャネルは、前記システム情報を運ぶ物理報知チャネルPBCH、および/または前記システム情報を運ぶ拡張PBCHである請求項22から25のいずれか一項に記載の装置。
【請求項２７】
前記システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
前記第1の物理チャネルは、前記システム情報を運ぶ物理ダウンリンク共有チャネルPDSCH、および/または前記システム情報を運ぶ拡張PDSCHである請求項22から25のいずれか一項に記載の装置。
【請求項２８】
前記スケジューリング情報は、前記SIB1をスケジューリングするためのダウンリンク制御情報DCI、前記SIB2をスケジューリングするためのDCI、前記SIをスケジューリングするためのDCI、前記MTC SIB1をスケジューリングするためのDCI、前記MTC SIB2をスケジューリングするためのDCI、前記MTC SIをスケジューリングするためのDCI、新しいUEカテゴリの前記システム情報をスケジューリングするためのDCI、新しいUEタイプの前記システム情報をスケジューリングするためのDCI、低コストUEの前記システム情報をスケジューリングするためのDCI、通信可能範囲拡張UEの前記システム情報をスケジューリングするためのDCI、遅延耐性UEの前記システム情報をスケジューリングするためのDCI、および前記new MTC SIをスケジューリングするためのDCIのうちの少なくとも1つであり、
前記第1の物理チャネルは、前記スケジューリング情報を運ぶ物理ダウンリンク制御チャネルPDCCH、および/または前記スケジューリング情報を運ぶ拡張PDCCHである請求項22から27のいずれか一項に記載の装置。
【請求項２９】
請求項15から21のいずれか一項に記載のTDDシステムにおける情報伝送装置と、請求項22から28のいずれか一項に記載のTDDシステムにおける情報決定装置とを備える通信システム。
【手続補正２】
【補正対象書類名】明細書
【補正対象項目名】００１９
【補正方法】変更
【補正の内容】
【００１９】
第1の態様から第1の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正３】
【補正対象書類名】明細書
【補正対象項目名】００３３
【補正方法】変更
【補正の内容】
【００３３】
第2の態様から第2の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正４】
【補正対象書類名】明細書
【補正対象項目名】００４７
【補正方法】変更
【補正の内容】
【００４７】
第3の態様から第3の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正５】
【補正対象書類名】明細書
【補正対象項目名】００６１
【補正方法】変更
【補正の内容】
【００６１】
第4の態様から第4の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正６】
【補正対象書類名】明細書
【補正対象項目名】００７５
【補正方法】変更
【補正の内容】
【００７５】
第5の態様から第5の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正７】
【補正対象書類名】明細書
【補正対象項目名】００８９
【補正方法】変更
【補正の内容】
【００８９】
第6の態様から第6の態様の第10の可能な実装方式までのいずれか1つに関して、第12の可能な実装方式において、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正８】
【補正対象書類名】明細書
【補正対象項目名】０１０６
【補正方法】変更
【補正の内容】
【０１０６】
適宜、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、それに対応して、第1の物理チャネルは、システム情報を運ぶ物理ダウンリンク共有チャネルPDSCH、および/またはシステム情報を運ぶ拡張PDSCHである。
【手続補正９】
【補正対象書類名】明細書
【補正対象項目名】０１２０
【補正方法】変更
【補正の内容】
【０１２０】
適宜、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIのうちの少なくとも1つであり、それに対応して、第1の物理チャネルは、システム情報を運ぶ物理ダウンリンク共有チャネルPDSCH、および/またはシステム情報を運ぶ拡張PDSCHである。
【手続補正１０】
【補正対象書類名】明細書
【補正対象項目名】０１２７
【補正方法】変更
【補正の内容】
【０１２７】
本発明のこの実施形態で提供されるTDDシステムにおける情報決定方法において、第1の物理チャネルは、無線フレーム内の複数のプリセットされたサブフレームで受信され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、次いで、第1の情報は、受信された第1の物理チャネルに従って決定され、これにより、UEは、決定された複数のサブフレームにおいて第1の物理チャネルを検出し、それにより、UEの検出複雑度および電力消費量を低減する。
【手続補正１１】
【補正対象書類名】明細書
【補正対象項目名】０１６９
【補正方法】変更
【補正の内容】
【０１６９】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正１２】
【補正対象書類名】明細書
【補正対象項目名】０１８４
【補正方法】変更
【補正の内容】
【０１８４】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正１３】
【補正対象書類名】明細書
【補正対象項目名】０１９９
【補正方法】変更
【補正の内容】
【０１９９】
さらに、前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報NEW MTC SIのうちの少なくとも1つであり、
第1の物理チャネルは、システム情報を運ぶ物理ダウンリンク共有チャネルPDSCH、および/またはシステム情報を運ぶ拡張PDSCHである。
【手続補正１４】
【補正対象書類名】明細書
【補正対象項目名】０２０１
【補正方法】変更
【補正の内容】
【０２０１】
図8は、本発明の一実施形態によるユーザ機器の概略構造図である。図8に示されているように、ユーザ機器は、受信機801およびプロセッサ802を備え、
受信機801は、第1の物理チャネルを無線フレーム内の複数のプリセットされたサブフレームで受信するように構成され、複数のプリセットされたサブフレームは、少なくともサブフレーム0およびサブフレーム5を含み、第1の物理チャネルは、第1の情報を運び、第1の情報は、システム情報またはシステム情報のスケジューリング情報であり、
プロセッサ802は、受信された第1の物理チャネルに従って第1の情報を決定するように構成される。
【手続補正１５】
【補正対象書類名】明細書
【補正対象項目名】０２１４
【補正方法】変更
【補正の内容】
【０２１４】
前述の実施形態に基づき、システム情報は、システム情報ブロックタイプ1 SIB1、システム情報ブロックタイプ2 SIB2、システム情報SI、マシンタイプ通信システム情報ブロックタイプ1 MTC SIB1、マシンタイプ通信システム情報ブロックタイプ2 MTC SIB2、マシンタイプ通信システム情報MTC SI、新しいUEカテゴリのシステム情報、新しいUEタイプのシステム情報、低コストUEのシステム情報、通信可能範囲拡張UEのシステム情報、遅延耐性UEのシステム情報、および新しいマシンタイプ通信システム情報new MTC SIのうちの少なくとも1つであり、
第1の物理チャネルは、システム情報を運ぶ物理ダウンリンク共有チャネルPDSCH、および/またはシステム情報を運ぶ拡張PDSCHである。
【国際調査報告】
2016531509.tif 000014
2016531509.tif 000015
2016531509.tif 000016
2016531509.tif 000017